(57)【要約】【課題】プリント配線基板が遊技機に取り付けられた場合、識別標識が容易に視認できるようにする。【解決手段】遊技機製造者を表す識別標識２ｃ，３ｃ，４ｃ，５ｃ、プリント配線基板製造者を表す識別標識２ｄ，３ｄ，４ｄ，５ｄ、プリント配線基板の種別を表す識別標識２ｅ，３ｅ，４ｅ，５ｅが、プリント配線基板２ａ〜５ａの基板面に、プリント配線１９〜２２と同材料により設けられ、識別標識２ｃ〜５ｃ，２ｄ〜５ｄ，２ｅ〜５ｅが遊技機１の背部より見えるように、プリント配線基板２ａ〜５ａまたはプリント配線基板２ａ〜５ａの収納されたケースが遊技機１の背部に取り付けられている。【選択図】図１
2007296379.tif 000002
【特許請求の範囲】
【請求項１】
製造者や種別の表す識別標識がプリント配線基板の基板面にプリント配線と同材料により設けられ、識別標識が遊技機の背部より視認可能となるように、プリント配線基板が遊技機の背部に取り付けられたことを特徴とする遊技機用プリント配線基板。
【請求項２】
製造者や種別の表す識別標識がプリント配線基板の基板面にプリント配線と同材料により設けられ、プリント配線基板が透視性を有するケースに収納され、識別標識が遊技機の背部より視認可能となるように、ケースが遊技機の背部に取り付けられたことを特徴とする遊技機用プリント配線基板。
【請求項３】
プリント配線基板の基板面にはプリント配線を覆うソルダーレジストが設けられ、ソルダーレジストには識別標識を露出する窓が設けられたことを特徴とする請求項１または請求項２記載の遊技機用プリント配線基板。
【請求項４】
識別標識がプリント配線に同化されたことを特徴とする請求項１または請求項２記載の遊技機用プリント配線基板。
【請求項５】
プリント配線基板が枠情報外部端子板または遊技板情報外部端子板または遊技制御回路または枠制御回路を構成したことを特徴とする請求項１または請求項２記載の遊技機用プリント配線基板。
【発明の詳細な説明】
【技術分野】
【０００１】
本発明は、プリント配線基板が遊技機に取り付けられた場合、識別標識が容易に視認できる遊技機用プリント配線基板に関する。
【背景技術】
【０００２】
遊技機の背部には、端子板、中継基板、遊技制御回路、枠制御回路等を個別に形成する複数のプリント配線基板が設けられている。それらのプリント配線基板にそれの種類を表す識別標識を付すことは周知である。
【特許文献１】特開平１０−２１５０４１号公報
【発明の開示】
【発明が解決しようとする課題】
【０００３】
しかし、従来の識別標識は、プリント配線基板の種類を表すだけであると共に、プリント配線基板に塗布されたソルダーレジストの表面に印刷又は捺印した形態である。このため、プリント配線基板が組み込まれたパチンコ機のような遊技機を遊技店に設置した後において、プリント配線基板に実装された電気的な機能部品を不正品に交換する際、上記識別標識を払拭により消去する不正行為を受けやすい。又、遊技店から使用済み遊技機として破棄された廃棄台は、各地の自治体のごみ処理行政に委ねられており、或る自治体では事業所から出される事業系一般廃棄物として扱われたり、別の自治体では産業廃棄物として扱われている。それから、廃棄台が熱硬化合成樹脂、熱可塑性合成樹脂、木材、鉄系金属、非鉄系金属、ガラス、電子回路、電線等の種々雑多な材料で構成されており、廃棄台の解体処理に莫大な費用を要することから、中小都市では廃棄台を或る程度解体してからごみ処理場に持ち込むように行政指導している。このようなことから、廃棄台の集荷業者や産業廃棄物業者の内で、少数の心ない業者が解体処理に費用を掛けずに野積み状態に不法投棄する場合、その不法投棄品から投棄者を特定しにくくするために、上記識別標識を払拭消去することがある。
【課題を解決するための手段】
【０００４】
本発明に係る遊技機用プリント配線基板は、製造者や種別の表す識別標識が遊技機に設けられるプリント配線基板の基板面にプリント配線と同材料により設けられ、識別標識が遊技機の背部より視認可能となるように、プリント配線基板が遊技機の背部に取り付けられたか、または、製造者や種別の表す識別標識が遊技機に設けられるプリント配線基板の基板面にプリント配線と同材料により設けられ、プリント配線基板が透視性を有するケースに収納され、識別標識が遊技機の背部より視認可能となるように、ケースが遊技機の背部に取り付けられたことを最も主要な特徴とする。プリント配線基板の基板面にはプリント配線を覆うソルダーレジストが設けられ、ソルダーレジストには識別標識を露出する窓が設けられたり、または、識別標識がプリント配線に同化されたり、または、プリント配線基板が枠情報外部端子板または遊技板情報外部端子板または遊技制御回路または枠制御回路を構成したりするものであってもよい。
【発明の効果】
【０００５】
本発明に係る遊技機用プリント配線基板は、プリント配線基板が遊技機の背部に取り付けられた状態において、識別標識が機能部品と同様に容易に視認できるという利点がある。
【発明を実施するための最良の形態】
【０００６】
図１〜図４は第１実施形態であって、図１が遊技機１の背面を示し、図２が電気的な機能部品１１〜１５を実装したプリント配線基板１０の外観を示し、図３がエッチング工程が終了したプリント配線基板１０の部品側面を平面的に示し、図４がエッチング工程が終了したプリント配線基板１０の半田側面を平面的に示す。
【０００７】
図１に示すように、この実施形態の遊技機１は、背部に、枠情報外部端子板２、遊技板情報外部端子板３、遊技制御回路４、枠制御回路５、タンクセット６、賞球払出機構７、球発射駆動機構８、流し９等の各種の遊技機能部品を有する。これらの遊技機能部品のうちで、枠情報外部端子板２、遊技板情報外部端子板３、遊技制御回路４、枠制御回路５は、それぞれに対応して個別に形成されたプリント配線基板２ａ，３ａ，４ａ，５ａに、コネクター、ヒューズ、スイッチ、発光ダイオード、リレー、ハイブリッドＩＣ、マイクロコンピューター、ＲＯＭ、ＲＡＭ等のうちの幾つかの必要な電気的な機能部品２ｂ，３ｂ，４ｂ，５ｂを実装している。これらのプリント配線基板２ａ〜５ａの基板面には、遊技機製造者を表す識別標識２ｃ，３ｃ，４ｃ，５ｃ、プリント配線基板製造者を表す識別標識２ｄ，３ｄ，４ｄ，５ｄ、プリント配線基板の種別を表す識別標識２ｅ，３ｅ，４ｅ，５ｅを、後述のプリント配線１９〜２２と同材料により直接的に設けている。これらの識別標識２ｃ〜５ｃ，２ｄ〜５ｄ，２ｅ〜５ｅは、実装された機能部品２ｂ〜５ｂで覆われず、各プリント配線基板２ａ〜５ａが枠情報外部端子板２、遊技板情報外部端子板３、遊技制御回路４、枠制御回路５として遊技機１の背部に取り付けられた形態において、遊技機１の背部より視認可能な位置に配置されている。
【０００８】
図２において、前記プリント配線基板２ａ〜５ａの何れかに相当する１つのプリント配線基板の例としてプリント配線基板１０を図示して説明する。プリント配線基板１０は、その基板面の１つとしての部品側面に、前記機能部品２ｂ〜５ｂに相当する複数の機能部品１１，１２，１３，１４，１５を実装している。又、同部品側面には、前記各識別標識２ｃ〜５ｃ，２ｄ〜５ｄ，２ｅ〜５ｅに相当する遊技機製造者を表す識別標識１６、プリント配線基板製造者を表す識別標識１７、プリント配線基板の種別を表す識別標識１８、プリント配線１９，２０，２１，２２をエッチングにより、直接的に形成している。これらの識別標識１６〜１８及びプリント配線１９〜２２は、プリント配線基板１０の基板面に塗布された半透明のように透視可能なソルダーレジスト２３，２４で覆われている。又、部品側面のソルダーレジスト２３の表面には、機能部品１１〜１５の取付位置外形図２５，２６，２７，２８，２９をシルク印刷により白色系塗料で印刷している。プリント配線基板１０の角部には、プリント配線基板１０を遊技機１に取り付ける際に使用する貫通孔３０を備える。
【０００９】
図３において、プリント配線基板１０は、エッチング工程が終了したが、ソルダーレジストを塗布する前の形態であって、その部品側面には、各識別標識１６〜１８、各プリント配線１９〜２２、図２に示す機能部品１１〜１５より外側に突出した図外の端子や取付足を結合するための中抜き形態のパッド３１，３２，３３，３４，３５，３６，３７，３８，３９，４０，４１，４２，４３，４４，４５，４６を備える。この実施形態では、パッド３１〜３４を機能部品１１に対応させ、パッド３５〜３７を機能部品１２に対応させ、パッド３８〜４０を機能部品１３に対応させ、パッド４１〜４３を機能部品１４に対応させ、パッド４４〜４６を機能部品１５に対応させている。又、パッド３４とパッド３８とをプリント配線１９で接続し、パッド３２とパッド４０とをプリント配線２０で接続し、パッド３６とパッド４１とをプリント配線２１で接続し、パッド３７はアースとして使用するプリント配線２２に接続している。
【００１０】
図４において、プリント配線基板１０は、エッチング工程が終了したが、ソルダーレジストを塗布する前の形態であって、その半田側面には、プリント配線基板１０の種別を表す識別標識４７、複数のプリント配線４８，４９，５０，５１，５２、図３に示すパッド３１〜４６に対応するパッド５３〜６９、貫通孔３０の周囲のアース用のパッド７０を備える。この実施形態では、パッド５３とパッド６９とをプリント配線４８で接続し、パッド５５とパッド６８とをプリント配線４９で接続し、パッド６６とパッド６７とをプリント配線５０で接続し、パッド６２とパッド６５とをプリント配線５１で接続し、パッド５６とパッド５８とをプリント配線５２で接続している。
【００１１】
ここで、プリント配線基板１０の作り方を説明する。先ず、ガラス・エポキシのような合成樹脂からなる基板の両面の全面に敷設された銅箔のような導電層の全面にエッチングレジストを塗布する。そして、エッチングレジストにレジストパターンを焼き付ける。このレジストパターンを焼き付ける際、部品側面には、図３に示す部品側面の識別標識１６〜１８とプリント配線１９〜２２及びパッド３１〜４６のそれぞれに対応するレジストパターンを使用する。又、半田側面には、図４に示す半田側面の識別標識４７とプリント配線４８〜５２及びパッド５３〜７０に対応するレジストパターンを使用する。それから、部品側面・半田側面の双方の識別標識１６〜１８，４７とプリント配線１９〜２２，４８〜５２及びパッド３１〜４６，５３〜７０に対応する以外のエッチングレジストを除去する。その後、エッチングレジストより露出した導電層をエッチング溶液によりプリント配線基板１０の基板面が露出するまで除去する。このエッチングにより、プリント配線基板１０が、図３に示すように部品側面に識別標識１６〜１８とプリント配線１９〜２２及びパッド３１〜４６を有し、図４に示すように半田側面に識別標識４７とプリント配線４８〜５２及びパッド５３〜７０を有する。
【００１２】
次に、パッド３１〜４６，５３〜６９の中抜き部分に、プリント配線基板１０の部品側面又は半田側面の一方よりスルーホールをあける。又、パッド７０の部分に貫通孔３０をあける。そして、プリント配線基板１０の部品側及び半田側面の半田を盛る以外の部分、即ち、スルーホール及びパッド３１〜４６，５３〜７０の以外の部分にソルダーレジストを塗布する。それから、プリント配線基板１０の部品側面のソルダーレジストの表面に図２に示す機能部品１１〜１５の取付位置外形図２５〜２９を印刷する。その後、機能部品１１〜１５の端子をプリント配線基板１０の部品側面よりスルーホールに挿入することにより、プリント配線基板１０の部品側面に記された取付位置外形図２５〜２９に応じて、機能部品１１〜１５をプリント配線基板１０の部品側面に搭載する。更に、プリント配線基板１０の半田側面を半田装置の溶融半田の液面に浸けて半田を付ける。この半田付けにより、半田がプリント配線基板のソルダーレジストで覆われていない部分のパッド５３〜７０に付くと共に、半田がスルーホールにも侵入してパッド３１〜４６に付くと共に機能部品１１〜１５の端子をパッド３１〜４６，５３〜６９に結合する。又、プリント配線基板１０の半田側面に図外の機能部品を搭載する場合には、上記部品側面への機能部品１１〜１５の半田付けの終了後に、上記図外の機能部品の端子をプリント配線基板１０の半田側面よりスルーホールに挿入し、当該端子が突出したプリント配線基板１０の部品側面のパッドに半田を半田鏝により付ける。この半田付けにより、半田がパッドに付くと共にスルーホールにも侵入して図外の機能部品の端子をパッドに結合する。
【００１３】
この第１実施形態の構造によれば、図１に示すように、遊技機１の背部にプリント配線基板２ａ〜５ａを取り付けた状態において、識別標識２ｃ〜５ｃ，２ｄ〜５ｄ，２ｅ〜５ｅが遊技機１の背部より視認可能な位置に設けられたので、遊技機１を遊技店に設置した後において、遊技機１を開き、その背部より識別標識２ｃ〜５ｃ，２ｄ〜５ｄ，２ｅ〜５ｅを確認して不正の有無を検査することができる。
【００１４】
図２に示すように、プリント配線基板１０の部品側面に識別標識１６〜１８をエッチングによりプリント配線１９〜２２と同材料により直接的に設けたので、ソルダーレジスト２３，２４を削り落としても、識別標識１６〜１８をプリント配線基板１０より払拭することができず、不正行為を受けにくい。しかも、使用済み遊技機１の不法投棄品の識別標識１６〜１８から投棄者を特定しやすくなる。又、識別標識１６〜１８をプリント配線基板１０に実装した機能部品１１〜１５の非配置位置に設けたので、プリント配線基板１０に機能部品１１〜１５を実装した形態において、識別標識１６〜１８を機能部品１１〜１５と同様に容易に視認して不正の有無を検査することができる。
【００１５】
又、図３及び図４に示すように、識別標識１６〜１８，４７をプリント配線基板１０の部品側面及び半田側面の双方に設けたので、プリント配線基板１０が遊技機１に取り付けられた状態において、遊技機１の背部より部品側面の識別標識１６〜１８を消去したとしても、半田側面の識別標識４７でプリント配線基板１０の種類を特定し、遊技機１の製造者を特定する、二重安全性を発揮できる。
【００１６】
又、図２に示すように、プリント配線基板１０の部品側面のソルダーレジスト２３の上に取付位置外形図２５〜２９を印刷したので、取付位置外形図２５〜２９より機能部品１１〜１５の正否を容易に確認することができ、しかも、ソルダーレジスト２３を削り落として、取付位置外形図２５〜２９をプリント配線基板１０より払拭した場合、その払拭した部分の機能部品が不正品であると確認することができる。結果として、不正行為を受けにくい。
【００１７】
又、識別標識１６〜１８，４７をエッチングにより形成したので、識別標識１６〜１８，４７をプリント配線１９〜２２，４８〜５２及びパッド３１〜４６，５３〜７０の形成と同時に形成することができ、しかも、真空蒸着のような方法に比べて、識別標識１６〜１８，４７を容易に形成することができる。
【００１８】
図５は第２実施形態のプリント配線基板１０の外観を示し、この第２実施形態では、プリント配線基板１０のソルダーレジスト２３に識別標識１６〜１８を露出する窓７１を形成し、この窓７１により識別標識１６〜１８をより確認しやすくすることができる。
【００１９】
図６は第３実施形態のプリント配線基板１０の外観を示し、この第２実施形態では、前記プリント配線１９〜２２，４８〜５２に相当するプリント配線７２に、前記識別標識１６〜１８，４７に相当する識別標識７３を同化させ、この同化により識別標識７３の設置スペースを少なくして、プリント配線基板１０における機能部品１１〜１５の実装密度を向上することができる。
【００２０】
尚、図１では、プリント配線基板２ａ〜５ａを剥き出したまま遊技機１に取り付けた形態を図示したが、プリント配線基板２ａ〜５ａを図外のケースに収納し、そのケースを遊技機１に取り付けることも考えられるが、この場合、ケースの裏面側又は全体を透明や半透明等のように透視性として形成し、プリント配線基板２ａ〜５ａの識別標識２ｃ〜５ｃ，２ｄ〜５ｄ，２ｅ〜５ｅが遊技機１の背部よりケースを通して見えるようにしてもよい。
【図面の簡単な説明】
【００２１】
【図１】第１実施形態の遊技機を示す背面図。
【図２】第１実施形態のプリント配線基板の斜視図。
【図３】第１実施形態のプリント配線基板の部品側面を示す平面図。
【図４】第１実施形態のプリント配線基板の半田側面を示す平面図。
【図５】第２実施形態のプリント配線基板の斜視図。
【図６】第３実施形態のプリント配線基板の斜視図。
【符号の説明】
【００２２】
１  遊技機
２ａ〜５ａ，１０  プリント配線基板
２ｂ〜５ｂ，１１〜１５  機能部品
２ｃ〜５ｃ，２ｄ〜５ｄ，２ｅ〜５ｅ，１６〜１８，４７，７３  識別標識
１９〜２２，４８〜５２，７２  プリント配線
【図１】
2007296379.tif 000003
【図２】
2007296379.tif 000004
【図３】
2007296379.tif 000005
【図４】
2007296379.tif 000006
【図５】
2007296379.tif 000007
【図６】
2007296379.tif 000008